(57)【要約】【課題】  押出ピンと射出装置のスリーブとについて、大幅にその製品寿命を延ばすことができ、その結果、全体としての耐久性に優れたコールドチャンバーダイカストマシンを提供することを目的とする。【解決手段】  押出ピン１を備えた金型２と、スリーブ３とプランジャー４とを備え金型２に溶湯５を射出する射出装置６と、射出装置６に溶湯５を供給する供給装置７と、を有するコールドチャンバーダイカストマシンにおいて、押出ピン１の内部に少なくとも１以上の流路８が内蔵せしめられていると共に、スリーブ３の外壁９内に少なくとも１以上の流路１０が内蔵せしめられており、かつ、前記各流路内（流路８と流路１０内）に所定温度の流体が循環せしめられていることを特徴とする、耐久性に優れたコールドチャンバーダイカストマシン。【選択図】  図１
2006026696.tif 000002
【特許請求の範囲】
【請求項１】
押出ピンを備えた金型と、スリーブとプランジャーとを備え前記金型に溶湯を射出する射出装置と、前記射出装置に溶湯を供給する供給装置と、を有するコールドチャンバーダイカストマシンにおいて、前記押出ピンの内部に少なくとも１以上の流路が内蔵せしめられていると共に、前記スリーブの外壁内に少なくとも１以上の流路が内蔵せしめられており、かつ、前記各流路内に所定温度の流体が循環せしめられていることを特徴とする、耐久性に優れたコールドチャンバーダイカストマシン。
【請求項２】
前記押出ピンを２以上の分割片とし、当該各分割片の所定位置には組立て接合時に流路となる部分溝を形成し、これら各分割片をパルス通電による接合処理により接合して、前記押出ピンの内部に少なくとも１以上の流路を内蔵せしめてなる、請求項１記載の耐久性に優れたコールドチャンバーダイカストマシン。
【請求項３】
前記押出ピンは、先端部が耐熱性材料からなり、側面部がカーボン又はセラミックス材料からなるものである、請求項１又は２記載の耐久性に優れたコールドチャンバーダイカストマシン。
【請求項４】
前記スリーブの外壁を２以上の分割片とし、当該各分割片の所定位置には組立て接合時に流路となる部分溝を形成し、これら各分割片をパルス通電による接合処理により接合して、前記スリーブの外壁内に少なくとも１以上の流路を内蔵せしめてなる、請求項１記載の耐久性に優れたコールドチャンバーダイカストマシン。
【発明の詳細な説明】
【技術分野】
【０００１】
本発明は、全体としての耐久性に優れたコールドチャンバーダイカストマシンに関する。
【背景技術】
【０００２】
ダイカストマシンは、いわゆるダイカスト成形を行うマシン（機械）であって、射出装置（スリーブ及びプランジャー）が溶湯（溶融金属）中にあるホットチャンバーダイカストマシンと、射出装置が溶湯中にないコールドチャンバーダイカストマシンとに分けられる。
本発明は、後者、つまり射出装置が溶湯中にないコールドチャンバーダイカストマシンに関するものである。
このコールドチャンバーダイカストマシンは、主に金型と、金型に溶湯を射出する射出装置と、射出装置に溶湯を供給する供給装置と、からなっている。
このコールドチャンバーダイカストマシンは、厳しい熱履歴を受けることから、得られる製品の高品質化だけでなく、マシン自体の耐久性をいかに延ばし、効率よく生産することができるかが課題とされてきた。
【０００３】
このうち金型に関しては、これまでその耐久性を向上させる試みが多くなされてきたが、射出装置等に関しては、あまり考慮されていないのが実情である。また、金型に備えられている押出ピンなどについても、これまであまり考慮されていなかった。
そのため、金型自体は耐久性に優れたものであったとしても、他の部分の耐久性がそれと同等ではないことから、全体としての耐久性が不十分となってしまうおそれがあった。
【発明の開示】
【発明が解決しようとする課題】
【０００４】
本発明は、このような従来の問題点を解消し、コールドチャンバーダイカストマシンにおいて、これまでほとんど考慮されていなかった金型に備えられている押出ピンと、金型に溶湯を射出する射出装置とに改良を加えて、押出ピンと射出装置のスリーブとについて、大幅にその製品寿命を延ばすことができ、その結果、全体としての耐久性に優れたコールドチャンバーダイカストマシンを提供することを目的とするものである。
【０００５】
本発明者は、上記目的を達成すべく鋭意検討を重ねた。
その結果、本発明者は、押出ピンを備えた金型と、スリーブとプランジャーとを備え前記金型に溶湯を射出する射出装置と、前記射出装置に溶湯を供給する供給装置と、を有するコールドチャンバーダイカストマシンにおいて、前記押出ピンの内部に少なくとも１以上の流路を内蔵せしめると共に、前記スリーブの外壁内に少なくとも１以上の流路を内蔵せしめ、かつ、前記各流路内に所定温度の流体を循環させることにより、耐久性に優れたコールドチャンバーダイカストマシンが得られることを見出し、かかる知見に基づいて本発明を完成するに至った。
【課題を解決するための手段】
【０００６】
即ち、請求項１に係る本発明は、押出ピンを備えた金型と、スリーブとプランジャーとを備え前記金型に溶湯を射出する射出装置と、前記射出装置に溶湯を供給する供給装置と、を有するコールドチャンバーダイカストマシンにおいて、前記押出ピンの内部に少なくとも１以上の流路が内蔵せしめられていると共に、前記スリーブの外壁内に少なくとも１以上の流路が内蔵せしめられており、かつ、前記各流路内に所定温度の流体が循環せしめられていることを特徴とする、耐久性に優れたコールドチャンバーダイカストマシンを提供するものである。
次に、請求項２に係る本発明は、前記押出ピンを２以上の分割片とし、当該各分割片の所定位置には組立て接合時に流路となる部分溝を形成し、これら各分割片をパルス通電による接合処理により接合して、前記押出ピンの内部に少なくとも１以上の流路を内蔵せしめてなる、請求項１記載の耐久性に優れたコールドチャンバーダイカストマシンを提供するものである。
また、請求項３に係る本発明は、前記押出ピンは、先端部が耐熱性材料からなり、側面部がカーボン又はセラミックス材料からなるものである、請求項１又は２記載の耐久性に優れたコールドチャンバーダイカストマシンを提供するものである。
さらに、請求項４に係る本発明は、前記スリーブの外壁を２以上の分割片とし、当該各分割片の所定位置には組立て接合時に流路となる部分溝を形成し、これら各分割片をパルス通電による接合処理により接合して、前記スリーブの外壁内に少なくとも１以上の流路を内蔵せしめてなる、請求項１記載の耐久性に優れたコールドチャンバーダイカストマシンを提供するものである。
【発明の効果】
【０００７】
本発明によれば、押出ピンを備えた金型と、スリーブとプランジャーとを備え前記金型に溶湯を射出する射出装置と、前記射出装置に溶湯を供給する供給装置と、を有するコールドチャンバーダイカストマシンにおいて、前記押出ピンの内部に少なくとも１以上の流路を内蔵せしめると共に、前記スリーブの外壁内に少なくとも１以上の流路を内蔵せしめ、かつ、前記各流路内に所定温度の流体を循環させることから、前記押出ピンと前記スリーブとについて、大幅にその製品寿命を延ばすことができ、その結果、全体としての耐久性に優れたコールドチャンバーダイカストマシンが提供される。
【０００８】
即ち、押出ピンは、加熱冷却の繰り返しによる損傷、摺動部分の焼き付き、カジリ等が問題とされていたが、本発明においては、押出ピンをこのように構成し、特に所定温度の流体を循環させる流路を内蔵せしめているため、大幅にその製品寿命を延ばすことができる。さらに、押出ピンの内部に少なくとも１以上の流路を内蔵せしめると共に、押出ピンを特定の材料を組合わせたものとすることにより、摺動磨耗、カジリを有効に防止することができる。しかも、このように摺動磨耗、カジリを有効に防止することができることから、押出ピンに高価な表面処理（コーティング処理）施しておく必要がなく、コストダウンを図ることができる。
それ故、射出装置におけるスリーブの外壁内に流路を内蔵せしめ、この流路に所定温度の流体を循環させていることからスリーブの耐久性を大幅に向上させることができることと相まって、全体としての耐久性に優れたコールドチャンバーダイカストマシンが提供される。また、このため、ダイカスト製品の生産性も向上させることができる。
【発明を実施するための最良の形態】
【０００９】
以下、本発明の実施の形態を示す。
請求項１に係る本発明は、耐久性に優れたコールドチャンバーダイカストマシンに関し、押出ピンを備えた金型と、スリーブとプランジャーとを備え前記金型に溶湯を射出する射出装置と、前記射出装置に溶湯を供給する供給装置と、を有するコールドチャンバーダイカストマシンにおいて、前記押出ピンの内部に少なくとも１以上の流路が内蔵せしめられていると共に、前記スリーブの外壁内に少なくとも１以上の流路が内蔵せしめられており、かつ、前記各流路内に所定温度の流体が循環せしめられていることを特徴とするものである。
【００１０】
以下、本発明を図面により詳細に説明する。図１は、請求項１に係る本発明の耐久性に優れたコールドチャンバーダイカストマシンの一態様を示す断面図である。
請求項１に係る発明は、押出ピン１を備えた金型２と、スリーブ（射出スリーブ）３とプランジャー（射出プランジャー）４とを備え前記金型２に溶湯５を射出する射出装置６と、前記射出装置６に溶湯（溶融金属）５を供給する供給装置７と、を有するコールドチャンバーダイカストマシンに関する。
【００１１】
ここでコールドチャンバーダイカストマシンとは、金型に溶湯を射出する射出装置が溶湯中にないタイプのダイカストマシンを指している。
このコールドチャンバーダイカストマシンは、ホットチャンバーダイカストマシンと比べて鋳造サイクルは遅いものの、鋳込圧力を高くすることができるなどの利点を有している。
このようなコールドチャンバーダイカストマシンは、押出ピン１を備えた金型２と、スリーブ３とプランジャー４とを備え前記金型２に溶湯５を射出する射出装置６と、射出装置６に溶湯５を供給する供給装置７と、を有している。
金型１の一方は固定型２Ａであり、他方は可動型２Ｂである。通常は、固定型２Ａに押出ピン１が備えられるが、可動型２Ｂに備えられていてもよい。押出ピン１は、通常、２本備えられているが、これに限定されるものではない。金型２としては、通常用いられるものを使用することができる。
【００１２】
請求項１に係る発明は、押出ピン１の内部に少なくとも１以上の流路８が内蔵せしめられていると共に、スリーブ３の外壁９内に少なくとも１以上の流路１０が内蔵せしめられており、かつ、前記各流路内（流路８と流路１０内）に所定温度の流体が循環せしめられていることを特徴とするものである。なお、図１中、符号１１はキャビティである。また、符号１２は鋳込み口（スプルー）であり、符号１２Ａがスプルーブッシュであり、符号１２Ｂがスプルーコアーである。さらに、符号１４は湯道（ランナー）である。
【００１３】
図２は、金型２における押出ピン（鋳抜きピンともいう）１の一態様を示す拡大断面図である。
図２では、その内部に連通する流路８を１つ内蔵せしめた例を示しているが、これに限定されるものではなく、２又はそれ以上の流路８を内蔵せしめてもよい。流路８の中には、６０〜８０℃程度の温度の流体を流すとよい。また、２又はそれ以上の流路８を内蔵せしめる場合には、異なる温度の流体を流すこともできる。そのために、流路８内には、流路内の温度を測る温度センサー（図示していない）を適宜内蔵せしめておくとよい。
【００１４】
このような押出ピン１は、例えば請求項２に記載したように、押出ピン１を２以上の分割片とし、当該各分割片の所定位置には組立て接合時に流路となる部分溝を形成し、これら各分割片をパルス通電による接合処理により接合することにより得ることができる。パイプ状物を内外２種類以上組合わせ、さらに先端部などに別の材料を組合わせ、これらをパルス通電による接合処理により接合してもよい。押出ピン１に流路を内蔵せしめ、この流路に所定温度の流体を循環させることはこれまで知られていない。
【００１５】
なお、パルス通電による接合処理は常法により行えばよい。パルス通電による接合処理の条件は特に限定されないが、３段階に分け、第１段階で２００℃以上６５０℃以下の温度と１ＭＰａ以上２０ＭＰａ以下の加圧力にてパルス通電による接合を行い、次いで、第２段階で７００℃以上１０００℃以下の温度と０．０１ＭＰａ以上０．９ＭＰａ以下の加圧力にてパルス通電による接合を行い、さらに、第３段階で８００℃以上１０００℃以下の温度で０．５〜３時間熱処理することが好ましい。第１段階と第２段階では、パルス通電による接合（それぞれ仮接合と本接合）を行うが、第３段階では、パルス通電を止め、所定の熱処理（相互拡散接合処理）を行う。
【００１６】
パルス電流としては通常、直流が用いられ、本発明においては、デューティー比、つまりパルスのＯＮとＯＦＦの比（ＯＮ／ＯＮ＋ＯＦＦ）が８６〜９９．９％、好ましくは９０〜９９．９％のパルス電流を流すことが好ましい。
このようなパルスのＯＮ時間の比率の高いパルス電流を流し、自己発熱により全体を緩やかに昇温させて、なるべく部材全体を均一に昇温させることが好ましい。
また、パルス電流としては、１００〜５００００Ａ、好ましくは３００〜３００００Ａの範囲のものが用いられ、電圧は１００Ｖ以下である。
電流密度に換算すると、パルス電流としては、５０Ａ／ｃｍ２〜５００Ａ／ｃｍ２、好ましくは８０Ａ／ｃｍ２〜１５０Ａ／ｃｍ２の電流供給が可能なものが用いられ、電圧は１００Ｖ以下である。
【００１７】
さらに、このような押出ピン１は、通常、ＳＫＤ６１等の金属製材料からなるものであるが、例えば請求項３に記載したように、本体部Ａ以外の先端部Ｂが耐熱性材料からなり、側面部Ｃがカーボン又はセラミックス材料からなるものが好ましい。
先端部Ｂの材料として好適な耐熱性材料としては、耐熱鋼、タングステン合金等が挙げられる。また、側面部Ｃの一つの材料としてのセラミックス材料としては、例えば窒化ケイ素等が挙げられる。このセラミックス材料としては、潤滑的役目を兼ねる耐熱セラミックスが好ましい。
【００１８】
なお、上記したように、押出ピン１を２以上の分割片とする場合に、例えば先端部、本体部、側面部と分割しておき、先端部Ｂを耐熱性材料とし、側面部Ｃをカーボン又はセラミックス材料としておけば、これら各分割片をパルス通電接合処理により接合することにより、本体部Ａ以外の先端部Ｂが耐熱性材料からなり、側面部Ｃがカーボン又はセラミックス材料からなる押出ピン１が得られる。
【００１９】
押出ピン１は、加熱冷却の繰り返しによる損傷、摺動部分の焼き付き、カジリ等が問題とされていたが、本発明においては、押出ピン１をこのように構成し、特に所定温度の流体を循環させる流路が内蔵せしめられているため、大幅にその製品寿命を延ばすことができる。さらに、流路を内蔵せしめると共に、押出ピン１を特定の材料を組合わせたものとすることにより、摺動磨耗、カジリを有効に防止することができる。
【００２０】
また、請求項４に記載したように、射出装置６におけるスリーブ３の外壁９を２以上の分割片とし、当該各分割片の所定位置には組立て接合時に流路となる部分溝を形成し、これら各分割片をパルス通電による接合処理により接合して、前記スリーブ３の外壁９内に少なくとも１以上の流路１０を内蔵せしめることができる。パルス通電による接合処理は常法により行えばよい。
【００２１】
図１では、前記スリーブ３の外壁９内に合計２つの流路１０（１０Ａ、１０Ｂ）を内蔵せしめた例を示しているが、これに限定されるものではない。
ここで少なくとも流路１０を２以上内蔵せしめておき、そのうちの鋳込み口に近い流路に比べて、溶湯５の供給口に近い流路ほど、より温度の低い流体を循環させることが好ましい。これは、溶湯５の供給口に近い流路ほど、スリーブ３の外壁温度が低くなっているからである。流体の循環については、常法により行えばよい。なお、図１、２中、「入」とあるのは流路入口を指し、「出」とあるのは流路出口を指しており、「入」から入った流体が「出」から出ることになる。
このスリーブ３の流路１０内に流される流体の温度は特に制限されないが、上記したように、溶湯５の供給口に近い流路ほど、より温度の低い流体を循環させることが好ましく、例えばここには１５〜４０℃程度の温度の流体を、それ以外の部分には６０〜８０℃程度の温度の流体を、それぞれ流すとよい。
これまで、射出装置６におけるスリーブ３の外壁内に流路を内蔵せしめ、この流路に所定温度の流体を循環させることは知られていない。
本発明では、このように射出装置６におけるスリーブ３の外壁内に流路を内蔵せしめ、この流路に所定温度の流体を循環させていることから、スリーブ３の耐久性を大幅に向上させることができる。
【００２２】
射出装置６は、このようなスリーブ３と、プランジャー４とを備えたものである。射出装置６としては、上記したスリーブを用いる以外は、通常の射出装置を用いればよいが、プランジャー４の先端にパルス通電接合処理により耐熱性材料を接合しておくとよい。
また、射出装置６に溶湯５を供給する供給装置７としては、通常のものでよい。溶湯（溶融金属）５としては、例えば溶融させたマグネシウム、アルミニウム合金等が用いられる。
なお、必要に応じて、スプルーブッシュ１２Ａの内面やスリーブ３の内面に、窒化ケイ素などのセラミックス材料を用いて焼き嵌めを施しておくと、より好ましいものとなる。
さらに、必要に応じて金型２の内部にも少なくとも１以上の流路１３を内蔵せしめ、かつ、前記流路内に所定温度の流体を循環させることにより、金型の耐久性も向上させることができ、より一層コールドチャンバーダイカストマシン全体としての耐久性を向上させることができる。
【００２３】
ダイカスト成形品を製造する際には、まず溶湯５を供給装置７から射出装置６に供給し、供給装置７から射出装置６に供給された溶湯５は、次いでプランジャー４によって鋳込み口（スプルー）１２より金型２のキャビティ１１内に射出される。
さらに、金型２のキャビティ１１内に射出された溶湯５が凝固した後、金型２を開き、押出ピン１を用いてダイカスト成形品を取り出す。
【００２４】
このようにして本発明のコールドチャンバーダイカストマシンによりダイカスト成形品が製造されるが、コールドチャンバーダイカストマシン全体としての耐久性が向上しているため、生産性よくダイカスト成形品を製造することができる。
【図面の簡単な説明】
【００２５】
【図１】本発明の耐久性に優れたコールドチャンバーダイカストマシンの一態様を示す断面図である。
【図２】金型２における押出ピン（鋳抜きピンともいう）１の一態様を示す拡大断面図である。
【符号の説明】
【００２６】
１  押出ピン
２  金型
２Ａ  固定型
２Ｂ  可動型
３  スリーブ（射出スリーブ）
４  プランジャー（射出プランジャー）
５  溶湯
６  射出装置
７  供給装置
８  流路（押出ピン内の流路）
９  外壁
１０  流路（スリーブ内の流路）
１１  キャビティ
１２  鋳込み口（スプルー）
１２Ａ  スプルーブッシュ
１２Ｂ  スプルーコアー
１３  流路（金型内の流路）
１４  湯道（ランナー）
Ａ  押出ピンの本体部
Ｂ  押出ピンの先端部
Ｃ  押出ピンの側面部
【図１】
2006026696.tif 000003
【図２】
2006026696.tif 000004